(57)【特許請求の範囲】
【請求項１】
一対の支柱脚間に複数の踏桟を適宜間隔で取り付けて梯子枠を形成し、該梯子枠の一対を対向させ上端を回動自在に軸着し、支柱脚の上部位置で梯子枠間に踏板を折り畳み自在に架設した脚立において、前記支柱脚を上部主脚と該上部主脚に回動自在に連結される下部主脚とで構成し、上部主脚と下部主脚との連結部に側面に係止部を形成した重合部を設け、該重合部を上部主脚または下部主脚のいずれかに回動自在に軸着した締結金具で外側から締付固定し、前記締結金具に、重合部に形成した係止部に係合する係合部を形成したことを特徴とする脚立。
【請求項２】
係止部および係合部は凹凸で形成する請求項１記載の脚立。
【請求項３】
下部主脚の下部に、上下方向にスライドするとともに下方位置から略水平方向に回動自在なアウトリガーを取り付けた請求項１または請求項２に記載の脚立。
【発明の詳細な説明】
【０００１】
【発明の属する技術分野】
本発明は、建築工事現場、建築物の天井や壁面などの内外装作業、電気配線作業などに使用する脚立に関するものである。
【０００２】
【従来の技術】
かかる脚立は、従来、周知のごとく例えば図15、図16に示すように、一対の支柱脚１間に複数の踏桟２を適宜間隔で取り付けて梯子枠30を形成し、支柱脚１の上端から手摺支柱21を上方に向けて延設し、支柱脚１の上端部に位置させて、対向する梯子枠30，30の間に踏板６を回動自在に取り付けたもので、支柱脚１、手摺支柱21ともに材質としては例えばアルミニウム合金を使用し、断面コ字形に形成した。
【０００３】
前記踏板６は、踏板本体６ａと、該踏板本体６ａを下方から支承するステイ６ｂとで構成し、ステイ６ｂは一端を踏板本体６ａの下部のほぼ中央位置に回動自在に軸着し、他端を支柱脚１の上端部または手摺支柱21の下端部、または支柱脚１と手摺支柱21との境界部に取付金具で回動自在に軸着する。
【０００４】
踏板本体６ａは、ステイ６ｂが重合されない側の端部を、取付金具で支柱脚１の上端部または手摺支柱21の下端部、または支柱脚１と手摺支柱21との境界部に回動自在に軸着する。
【０００５】
手摺支柱21，21の上端部は突き合わせて、矩形状の回転金具11で回動自在に結合する。図中４は支柱脚１の下部に伸長自在に取り付けた延長脚、５は対向する支柱脚１間に掛け渡した幅止材、７は水平ブレスを示す。
【０００６】
かかる脚立において、高所作業用のものの場合は、最大高が例えば3400ｍｍに達することから、収納スペースが僅かですみ、また、持ち運びに便利なよう、支柱脚１を上下部主脚１ａ，１ｂに分割して、下部主脚１ｂを上部主脚１ａに対して回動自在に結合し、上方向に折り畳めるようにしたものがある。
【０００７】
この場合、上部主脚１ａと下部主脚１ｂとの連結部は、例えば両上下部主脚１ａ，１ｂの端部を突き合わせて、チャンネル状などの連結金具31を上下部主脚１ａ，１ｂの連結部に跨がらせて取り付け、ピンなどを使用して連結金具31で上下部主脚１ａ，１ｂを結合している。
【０００８】
そして、不使用時にはピンを引き抜いて連結金具31を外し、下部主脚１ｂを上方に回動し上部主脚１ａに重合し、また、踏板６および幅止材５、水平ブレス７を折り畳んでコンパクトにまとめ、容易に移動できるようにし、また少ないスペースに収納できるようにしている。
【０００９】
【発明が解決しようとする課題】
支柱脚１を上下に分割して折り畳めるように構成する場合、上下部主脚１ａ，１ｂの突き合わせ部がピッタリ接合しないと、隙間によるガタが生じて踏板６上で作業するときに揺れが発生し、作業しづらい。
【００１０】
また、上下部主脚１ａ，１ｂは端部が突き合わさった状態で連結するため、連結強度が低く、さらに、上方からの荷重は接合端面を介してのみ上部主脚１ａから下部主脚１ｂに伝達されるため、脚立全体の強度的な信頼性も低い。
【００１１】
本発明の目的は前記従来例の不都合を解消し、脚立の支柱脚を上下に分割して折り畳み可能なように連結する場合、連結部に隙間が生じることがないようにして、ガタが発生することを防止し、連結強度をアップするとともに脚にかかる荷重を十分に支持できて脚立全体の強度も向上できる脚立を提供することにある。
【００１２】
【課題を解決するための手段】
本発明は前記目的を達成するため、第１に、一対の支柱脚間に複数の踏桟を適宜間隔で取り付けて梯子枠を形成し、該梯子枠の一対を対向させ上端を回動自在に軸着し、支柱脚の上部位置で梯子枠間に踏板を折り畳み自在に架設した脚立において、前記支柱脚を上部主脚と該上部主脚に回動自在に連結される下部主脚とで構成し、上部主脚と下部主脚との連結部に側面に係止部を形成した重合部を設け、該重合部を上部主脚または下部主脚のいずれかに回動自在に軸着した締結金具で外側から締付固定し、前記締結金具に、重合部に形成した係止部に係合する係合部を形成したことを要旨とするものである。
【００１３】
第２に、係止部および係合部は凹凸で形成すること、第３に、下部主脚の下部に、上下方向にスライドするとともに下方位置から略水平方向に回動自在なアウトリガーを取り付けたことを要旨とするものである。
【００１４】
請求項１記載の本発明によれば、上部主脚と下部主脚との連結部には側面が当接する重合部が設けられるから、上部主脚と下部主脚とは横方向で連結される。
よって、上下方向の当接面はなく、上下間に隙間が生じることがなくなり、ガタが発生することがない。また、横方向の重合部により上部主脚と下部主脚とが一体化され連結部の強度がアップする。
【００１５】
さらに、重合部と締結金具には相互に嵌合する係止部と係合部とを設けてあるから、締結金具との結合強度もアップし、圧縮荷重に対する強度が増加する。
【００１６】
請求項２記載の本発明によれば、前記作用に加えて、係止部および係合部は凹凸で形成することにより、簡単な構造で確実に連結強度をアップできる。
【００１７】
請求項３記載の本発明によれば、前記作用に加えて、使用時にアウトリガーを外方に向けて略水平方向に突出することで、設置面に凹凸がある場合でも、安定した状態で脚立を使用できる。そして、アウトリガーは不使用時には上方にスライドさせれば支柱脚１に添わせてこれと平行する状態で収納でき、外方に突出しないから収納に便利である。
【００１８】
【発明の実施の形態】
以下、図面について本発明の実施の形態を詳細に説明する。図１は、本発明のの脚立の実施形態を示す正面図、図２は同上要部である上部主脚と下部主脚との連結部の一部切欠いた正面図、図３は脚立の側面図、図４は同上要部である上部主脚と下部主脚との連結部の側面図で、本発明の脚立の基本構成は図15、図16に示した従来例と同様であり、同一の構成要素には同一の参照符号を付してある。
【００１９】
本発明の脚立も、一対の支柱脚１間に複数の踏桟２を適宜間隔で取り付けて梯子枠３を形成し、支柱脚１の上端から手摺支柱21を上方に向けて延設し、支柱脚１の上端部に位置させて、対向する梯子枠３，３の間に踏板６を回動自在に取り付けたもので、支柱脚１、手摺支柱21ともに材質としては例えばアルミニウム合金を使用し、断面コ字形に形成した。
【００２０】
支柱脚１を上部主脚１ａと下部主脚１ｂに分割し、上部主脚１ａの下部外側面と下部主脚１ｂの上部内側面とが接合可能なように重合して重合部７ａ，７ｂとし、下部主脚１ｂの重合部７ｂの上端を回転金具８で上部主脚１ａの重合部７ａの上端に位置させてその外側に上方に向けて回動自在に軸着する。これにより、重合部７ａ，７ｂが重合した状態で下部主脚１ｂが上部主脚１ａに対して回動自在に連結される。
【００２１】
図中９は重合部７ａ，７ｂのそれぞれの下端を締結する締結金具を示し、取付部材20と締結部材10とで構成され、取付部材20は平板状に形成されてネジ13で上部主脚１ａの側の重合部７ａに固定され、この取付部材20の下部に蝶番12で締結部材10が上下方向に回動自在に軸着される。
【００２２】
締結部材10は、図５に示すように一対のＬ字形の金具本体10ａ，10ｂの一部を重合しスライド自在に組み合わせて全体を平面コ字形に形成したもので、偏心させて設けたレバー14に結合してある偏心カム14ａを内蔵し、該レバー14の回動により一方の金具本体10ａに対して他方の金具本体10ｂが摺動する。
【００２３】
そして、締結金具９と支柱脚１との係止部分には、重合部７ａ，７ｂ側の外側面に係止部としての凸条15を水平方向に複数条形成し、金具本体10ａ，10ｂ側の内側面に前記凸条15に嵌合する溝条16を形成した。なお、この凸条15と溝条16は、締結金具９側に凸条15を、支柱脚１側に溝条16を形成するようにしてもよい。
【００２４】
図６〜図８に示すように支柱脚１の下部主脚１ｂの下部にアウトリガー17を取り付ける。該アウトリガー17は本体部をチャンネル状に形成し、下部主脚１ｂの外側にボルトで固定したチャンネル状の取付金具18にピン19で上下方向に回動自在に軸着するとともに、アウトリガー17の本体部の側面に形成した細長孔17ａに前記ピン19の両端を挿着して上下方向にスライド自在に取付金具18に枢着した。
【００２５】
次に使用法について説明する。不使用時の収納状態では梯子枠３は上下が折り畳まれ、下部主脚１ｂが上方に回動して上部主脚１ａの外側に並行に折り畳まれている。また、幅止材５および踏板６も中央の軸着部を中心にして折り畳まれ、対向する上部主脚１ａ間に収容され、対向する上部主脚１ａ，１ａは回転金具11を介して相互に近接し並行状態に折り畳まれている。
【００２６】
この状態から脚立を使用するには、下部主脚１ｂを回転金具８を中心にして下方に回動する。これにより、上部主脚１ａの重合部７ａの外側に下部主脚１ｂの重合部７ｂが重合した状態で下部主脚１ｂが上部主脚１ａの下方に突出し、一本の支柱脚１となる。このとき締結金具９の締結部材10は蝶番12の箇所を軸として上方にはね上げておき、締結部材10に下部主脚１ｂがぶつからないようにしておく。
【００２７】
そして、前記のように重合部７ａ，７ｂが重合したならば、締結部材10を下方に回動して一方の金具本体10ａを重合部７ａに嵌合し、他方の金具本体10ｂを重合部７ｂに嵌合し、さらにレバー14を回動して金具本体10ｂを金具本体10ａの方向に引き寄せる。
【００２８】
この締付力によって重合部７ｂが重合部７ａに引き寄せられて両重合部７ａ，７ｂが一体化し、さらに、重合部７ａ，７ｂに形成してある凸条15が締結部材10に形成してある溝条16と嵌合する。
【００２９】
このように上部主脚１ａと下部主脚１ｂの連結部は、重合部７ａ，７ｂの箇所で側面が当接した状態となりこの部分が締結されるから、上部主脚１ａと下部主脚１ｂとは横方向で連結される。よって、上部主脚１ａと下部主脚１ｂとの上下間に隙間が生じることがなくなり、ガタが発生することがない。また、横方向の重合により上部主脚１ａと下部主脚１ｂとが一体化され連結部の強度がアップする。
【００３０】
よって、上端の回転金具11の箇所を軸にして対向する梯子枠３，３を開けば、踏板６および幅止材５が伸びるから、踏桟２または踏板６上で作業する。このとき、上部主脚１ａと下部主脚１ｂとの連結部では前記のようにガタが生じることはないから、踏板６の揺れがなく作業しやすい。
【００３１】
また、締結金具９と支柱脚１とは凸条15と溝条16との嵌合により結合されているから、支柱脚１に加わる圧縮荷重などの外力に対して強固な強度を発揮できる。
【００３２】
脚立の設置面に凹凸などがある場合は、アウトリガー17を使用する。アウトリガー17は不使用時には図９〜図11に示すように下部主脚１ｂの外側に添ってこれと並行に収納されている。この収納状態からアウトリガー17を使用状態にするには、図９の鎖線で示すようにアウトリガー17をそのまま下方に引けば、細長孔17ａがピン19にそってスライドし、アウトリガー17が下降する。
【００３３】
図12〜図14はこの下降位置を示すもので、この下降位置から図12に鎖線で示すようにアウトリガー17をピン19の箇所を軸にして下部主脚１ｂの外側上方に回動すれば図６に示す使用位置に達する。この略水平位置で、アウトリガー17は下部主脚１ｂの側の端部が取付金具18に当接しそれ以上の回動が阻止される。
【００３４】
よって、下部主脚１ｂおよびアウトリガー17を接地すれば、脚立は安定状態で設置される。
【００３５】
使用後に、脚立を折り畳むには、前記と反対の動作を行ってアウトリガー17を下部主脚１ｂの外側にこれと並行に添わせて収納し、下部主脚１ｂを上方に回動して上部主脚１ａの外側にこれと並行に添わせて収納し、踏板６および幅止材５を対向する上部主脚１ａ，１ａ間に折り畳む。
【００３６】
なお、延長脚４を設けた場合は、アウトリガー17はこの延長脚４の下端に取り付けられる。
【００３７】
【発明の効果】
以上述べたように本発明の脚立は、脚立の支柱脚を上下に分割して折り畳み可能なように連結する場合、連結部に横方向の重合部を設けてこの部分で連結したから、連結部に隙間が生じることがなく、ガタが発生することを防止でき踏板の揺れを防止できて作業性が向上する。また、連結強度をアップするとともに脚にかかる荷重を十分に支持できて脚立全体の強度も向上できるものである。
【図面の簡単な説明】
【図１】本発明の脚立の実施形態を示す正面図である。
【図２】本発明の脚立の実施形態を示す要部である連結部の一部切欠いた正面図である。
【図３】本発明の脚立の実施形態を示す側面図である。
【図４】本発明の脚立の実施形態を示す要部である連結部の側面図である。
【図５】本発明の脚立の実施形態を示す要部である締結金具の平面図である。
【図６】本発明の脚立の実施形態を示す要部であるアウトリガーの正面図である。
【図７】本発明の脚立の実施形態を示す要部であるアウトリガーの平面図である。
【図８】本発明の脚立の実施形態を示す要部であるアウトリガーの側面図である。
【図９】本発明の脚立の実施形態を示す要部であるアウトリガーの収納時の正面図である。
【図１０】本発明の脚立の実施形態を示す要部であるアウトリガーの収納時の平面図である。
【図１１】本発明の脚立の実施形態を示す要部であるアウトリガーの収納時の側面図である。
【図１２】本発明の脚立の実施形態を示す要部であるアウトリガーの引出時の正面図である。
【図１３】本発明の脚立の実施形態を示す要部であるアウトリガーの引出時の平面図である。
【図１４】本発明の脚立の実施形態を示す要部であるアウトリガーの引出時の側面図である。
【図１５】従来の脚立の正面図である。
【図１６】従来の脚立の側面図である。
【符号の説明】
１…支柱脚                      ２…踏桟
１ａ…上部主脚                  １ｂ…下部主脚
３…梯子枠                      ４…延長脚
５…幅止材                      ６…踏板
６ａ…踏板本体                  ６ｂ…ステイ
７…水平ブレス
７ａ，７ｂ…重合部              ８…回転金具
９…締結金具                    10…締結部材
10ａ，10ｂ…金具本体            11…回転金具
12…蝶番                        13…ネジ
14…レバー                      15…凸条
14ａ…偏心カム
16…溝条                        17…アウトリガー
17ａ…細長孔
18…取付金具                    19…ピン
20…取付部材                    21…手摺支柱
30…梯子枠                      31…連結金具
【図１】
0004617006.tif 000002
【図２】
0004617006.tif 000003
【図３】
0004617006.tif 000004
【図４】
0004617006.tif 000005
【図５】
0004617006.tif 000006
【図６】
0004617006.tif 000007
【図７】
0004617006.tif 000008
【図８】
0004617006.tif 000009
【図９】
0004617006.tif 000010
【図１０】
0004617006.tif 000011
【図１１】
0004617006.tif 000012
【図１２】
0004617006.tif 000013
【図１３】
0004617006.tif 000014
【図１４】
0004617006.tif 000015
【図１５】
0004617006.tif 000016
【図１６】
0004617006.tif 000017